(57)【要約】【課題】  光ピックアップ装置に組み込まれるハーフミラーを正確に固定することが出来るハーフミラー固定装置を提供する。【解決手段】  レーザー光が透過するとともに互いに平行な第１透過面１１Ａ及び第２透過面１１Ｂを含む６面より成るハーフミラー１１の固定装置であり、前記第１透過面１１Ａが当接する傾斜固定面１２Ａが形成されているハーフミラー固定台１２にハーフミラー１１の第２透過面１１Ｂと底面との間にあるコーナーＣ１に当接しハーフミラー１１を傾斜固定面１２Ａ方向へ押圧する下端規制部１２Ｂ、１２Ｃと第２透過面１１Ｂと側面との間にあるコーナーＣ２に当接しハーフミラー１１を傾斜固定面１２Ａ方向へ押圧する側面規制部１２Ｄを設ける。【選択図】  図１
2012155775.tif 000002
【特許請求の範囲】
【請求項１】
レーザー光が透過するとともに互いに平行な第１透過面及び第２透過面を含む６面より成るハーフミラーの固定装置であり、前記第１透過面が当接する傾斜固定面が形成されているハーフミラー固定台にハーフミラーの第２透過面と底面との間にあるコーナーに当接しハーフミラーを傾斜固定面方向へ押圧する下端規制部と第２透過面と側面との間にあるコーナーに当接しハーフミラーを傾斜固定面方向へ押圧する側面規制部を設けたことを特徴とするハーフミラー固定装置。
【請求項２】
下端規制部のハーフミラーのコーナーに当接する位置に傾斜面を設けたことを特徴とする請求項１に記載のハーフミラー固定装置。
【請求項３】
下端規制部を一対設けたことを特徴とする請求項２に記載のハーフミラー固定装置。
【請求項４】
側面規制部のコーナーに当接する位置に傾斜面を設けたことを特徴とする請求項１から請求項３に記載のハーフミラー固定装置。
【請求項５】
接着剤にてハーフミラーを傾斜固定面に接着するようにしたことを特徴とする請求項１から請求項４に記載のハーフミラー固定装置。
【発明の詳細な説明】
【技術分野】
【０００１】
本発明は、光ディスクに記録されている信号の読み出し動作や光ディスクに信号の記録動作を行う光ピックアップ装置に組み込まれるハーフミラーの固定装置に関する。
【背景技術】
【０００２】
光ピックアップ装置から照射されるレーザー光を光ディスクの信号記録層に照射することによって信号の読み出し動作や信号の記録動作を行うことが出来る光ディスク装置が普及している。
【０００３】
図６は例えばＤＶＤ規格の光ディスクＤに設けられている信号記録層Ｌに記録されている信号の読み出し動作を行う光ピックアップ装置を構成する光学系を示す概略図であり、同図を利用して光ピックアップ装置の構成について説明する。
【０００４】
図６において、１は波長が６５０ｎｍの赤色光であるレーザー光を放射するレーザーダイオード、２は前記レーザーダイオード１から放射されたレーザー光が入射される位置に設けられている回折格子であり、０次回折光であるメインビームと±１次回折光であるサブビームとを分離生成する作用を成すものである。３は前記回折格子２を透過したレーザー光が入射される１／２波長板であり、前記レーザーダイオード１から放射されるレーザー光の偏光方向をＳ方向又はＰ方向の直線偏光光に調整する作用を成すものである。
【０００５】
４は前記回折格子２及び１／２波長板３を透過したレーザー光が入射される位置に設けられているハーフミラーであり、光ディスクＤ方向へレーザー光を反射させるとともに該光ディスクＤの信号記録層Ｌから反射された戻り光を透過させる制御膜が形成されている。５は前記ハーフミラー４にて反射されたレーザー光が入射される位置に設けられているコリメートレンズであり、入射されるレーザー光を平行光に変換する作用を成すものである。
【０００６】
６は前記コリメートレンズ５にて平行光に変換されたレーザー光が入射されるとともに該レーザー光を反射させる立ち上げミラーであり、光軸の方向を図示したように９０度変更するようにされている。７は前記立ち上げミラー６によって反射されたレーザー光が入射される位置に設けられている１／４波長板であり、前記立ち上げミラー６側から入射されるレーザー光を直線偏光光から円偏光光へ、また反対側から入射されるレーザー光である戻り光を円偏光光から直線偏光光に偏光する作用を成すものである。
【０００７】
８は前記１／４波長板７を透過したレーザー光が照射される位置に設けられている対物レンズであり、光ディスクＤに設けられている信号記録層Ｌにレーザー光を集光させて読み出し動作や記録動作を行うために適した形状のスポットを生成させる作用を成すものである。前記対物レンズ８によって光ディスクＤに設けられている信号記録層Ｌに集光されたレーザー光は、該信号記録層Ｌにて反射されて戻り光として該対物レンズ８に光ディスクＤ側から入射される。
【０００８】
前記対物レンズ８に入射された戻り光は、該対物レンズ８を透過した後１／４波長板７に入射され、該１／４波長板７によって円偏光光から直線偏光光に変換される。このようにして偏光された戻り光は、立ち上げミラー６にて反射された後コリメートレンズ５に入射される。
【０００９】
前記コリメートレンズ５に入射された戻り光は、該コリメートレンズ５を透過してハーフミラー４に入射されるが、このようにしてハーフミラー４に入射される戻り光は、前記１／４波長板７に対する往復透過動作によって直線偏光光の偏光方向が反転されているので、該ハーフミラー４に設けられている制御膜にて反射されることはなく、該制御膜を透過することになる。
【００１０】
前記ハーフミラー４は、透過する戻り光に対してフォーカス制御動作を行うためのフォーカスエラー信号を生成するために非点収差を付加する作用を有するものであるが、その特性からＡＳ収差やコマ収差と呼ばれる収差が発生するという問題がある。９は前記ハーフミラー４を透過した戻り光が入射される位置に設けられているアナモフィックレンズであり、該ハーフミラー４にて生成される非点収差をフォーカスエラー信号の生成動作を行うために適した大きさになるように拡大する作用を成すとともにハーフミラー４にて発生するＡＳ収差やコマ収差を補正する作用を成すように構成されている。
【００１１】
１０は前記アナモフィックレンズ９を透過した戻り光が照射される位置に設けられている光検出器であり、照射されて生成されるスポット形状の変化やスポット位置の変位を利用することによってフォーカスエラー信号やトラッキングエラー信号を生成するように構成されている。
【００１２】
以上に説明したように光ディスクＤに記録されている信号の読み出し動作を行う光ピックアップ装置の光学系は構成されているが、レーザーダイオード１から放射されたレーザー光を対物レンズ８方向へ反射させるとともに光ディスクＤから反射される戻り光を光検出器１０の方向へ透過させる作用を成すハーフミラー４が光学特性に大きな影響を与えることになる。従って、斯かる光ピックアップ装置では、前記ハーフミラー４の固定動作を精度良く行うことが要求されている。
【００１３】
光ピックアップ装置の特性の良否を大きく左右するハーフミラー４は光ピックアップ装置を構成する基台となるハウジングに設けられている固定部に接着剤によって固定されるが、斯かるハーフミラーの固定に関する技術が特許文献１に記載されている。
【先行技術文献】
【特許文献】
【００１４】
【特許文献１】特開２００２−１５７７７７号公報
【発明の概要】
【発明が解決しようとする課題】
【００１５】
前記ハーフミラー４は特許文献１に記載されているように６面を備えた直方体形状の光学部品であり、図６に示したようにレーザー光が透過する平行な２つの透過面が設けられている。
【００１６】
従来一般に行われているハーフミラーの固定装置について、図４に示した斜視図及び図５に示した側面図を参照にして説明する。
【００１７】
図４及び図５において、１１は直方体形状のハーフミラーであり、レーザー光が透過するとともに互いに平行な第１透過面１１A及び第２透過面１１Bを備えている。１２は前記ハーフミラー１１が固定されるハーフミラー固定台であり、前記ハーフミラー１１の第１透過面１１Aが当接する傾斜固定面１２Aが設けられている。
【００１８】
１２B及び１２Cは、前記ハーフミラー固定台１２に形成されている第１下端規制部及び第２下端規制部であり、図５に示すようにハーフミラー１１を構成する第２透過面１１Bと底面１１Cとの間にあるコーナーCが平面状の当接面１２BC及び１２CCに当接するように構成されている。また、１２Dは、前記ハーフミラー固定台１２に形成されている側面規制部であり、ハーフミラー１１の側面１１Dが当接するように構成されている。
【００１９】
そして、前記ハーフミラー固定台１２には、前記ハーフミラー１１の第１透過面１１A及び第２透過面１１Bを透過するレーザー光が通る透孔１２Hが形成されている。
【００２０】
斯かる構成において、前記ハーフミラー１１は矢印A方向、即ち第１下端規制部１２B及び第２下端規制部１２C方向及び矢印B方向、即ち側面規制部１２D方向へ寄せる作業を行うとともにハーフミラー１１をハーフミラー固定台１２の傾斜固定面１２Aに対して垂直になる方向(図５の矢印C方向)に押圧した状態のままで該傾斜固定面１２Aに紫外線硬化型接着剤により接着固定することによってハーフミラー固定台１２に対して固定するようにされている。
【００２１】
前記ハーフミラー１１のハーフミラー固定台１２に対する接着固定動作は、前述したように行われるが、ハーフミラー１１の位置を正確にするために接着固定箇所は一般に３箇所にて行われる。斯かる接着固定作業は、治具にてハーフミラー１１を矢印A方向、B方向及びC方向に押圧しながら行われるが、接着剤の塗布箇所が多いので接着バランスのバラツキや治具の取り扱いの具合等の相違によってハーフミラーの固定精度が悪化するという問題がある。
【００２２】
本発明は、前述した問題を解決することが出来るハーフミラーの固定装置を提供しようとするものである。
【課題を解決するための手段】
【００２３】
本発明は、レーザー光が透過するとともに互いに平行な第１透過面及び第２透過面を含む６面より成るハーフミラーの固定装置であり、前記第１透過面が当接する傾斜固定面が形成されているハーフミラー固定台にハーフミラーの第２透過面と底面との間にあるコーナーに当接しハーフミラーを傾斜固定面方向へ押圧する下端規制部と第２透過面と側面との間にあるコーナーに当接しハーフミラーを傾斜固定面方向へ押圧する側面規制部を設けたことを特徴とするものである。
【００２４】
また、本発明は、前記下端規制部のハーフミラーのコーナーに当接する位置に傾斜面を設けたことを特徴とするものである。
【００２５】
そして、本発明は、前記下端規制部を一対設けたことを特徴とするものである。
【００２６】
また、本発明は、前記側面規制部のコーナーに当接する位置に傾斜面を設けたことを特徴とするものである。
【００２７】
そして、本発明は、接着剤にてハーフミラーを傾斜固定面に接着するようにしたことを特徴とするものである。
【発明の効果】
【００２８】
本発明は、ハーフミラーの第１透過面が当接される傾斜固定面が形成されているハーフミラー固定台にハーフミラーの第２透過面と底面との間にあるコーナーに当接しハーフミラーを傾斜固定面方向へ押圧する下端規制部と第２透過面と側面との間にあるコーナーに当接しハーフミラーを傾斜固定面方向へ押圧する側面規制部を設けたので、即ち前記下端規制部と側面規制部によってハーフミラーをハーフミラー傾斜固定面方向へ押圧するようにしたので、従来の固定装置のようにハーフミラーを固定面方向へ押圧する治具が不要になる。
【００２９】
従って、本発明の固定装置によれば固定作業が簡単になるだけでなく、ハーフミラーのハーフミラー固定台に対する位置を精度良く保持しながら接着作業を行うことが出来るので、熟練度が低い作業者でもハーフミラーの固定作業を正確に行うことが出来るという利点を有している。
【図面の簡単な説明】
【００３０】
【図１】本発明のハーフミラー固定装置を示す斜視図である。
【図２】本発明のハーフミラー固定装置を示す側面図である。
【図３】本発明のハーフミラー固定装置を示す背面図である。
【図４】従来のハーフミラー固定装置を示す斜視図である。
【図５】従来のハーフミラー固定装置を示す側面図である。
【図６】本発明に係る光ピックアップ装置の光学系を示す概略図である。
【発明を実施するための形態】
【００３１】
光ピックアップ装置を構成する基台となるハウジングに設けられるハーフミラー固定台に対してハーフミラーを簡単に精度良く固定することが出来る装置を提供する。
【実施例１】
【００３２】
図１に示す斜視図、図２に示す側面図及び図３に示す背面図を使用して本発明に係るハーフミラーの固定装置について説明する。尚、図４及び図５に示す従来例と同一の部材には同一の符号を付している。
【００３３】
本発明のハーフミラー固定装置は、ハーフミラー固定台１２に形成されている第１下端規制部１２B及び第２下端規制部１２Cのハーフミラー１１の第２透過面１１Bと底面１１Cとの間にあるコーナーC１と当接する部分に傾斜面１２BD及び１２CDを形成するとともに側面規制部１２Dのハーフミラー１１の第２透過面１１Bと側面１１Bとの間にあるコーナーC２と当接する部分に傾斜面１２DDを形成したことを特徴とするものである。
【００３４】
斯かる構成のハーフミラー固定装置におけるハーフミラー１１のハーフミラー固定台１２への固定作業は、ハーフミラー１１を該ハーフミラー固定台１２に形成されている傾斜固定面１２Ａに載置させた後、該ハーフミラー１１を矢印Ａ方向及び矢印Ｂ方向へ押圧した状態のままで紫外線硬化型接着剤にてハーフミラー１１を傾斜固定面１２Ａに接着固定することによって行われる。
【００３５】
即ち、ハーフミラー１１を矢印Ａ方向へ押圧するとハーフミラー固定台１２に形成されている第１下端規制部１２Ｂ及び第２下端規制部１２Ｃに各々設けられている傾斜面１２ＢＤ及び１２ＣＤにハーフミラー１１のコーナーＣ１が押圧当接された状態になる。図２は斯かる状態を示すものであり、斯かる図面より明らかなようにハーフミラー１１は、前記傾斜面１２ＢＤ及び１２ＣＤによって矢印Ｃ方向への変位力を受けることになる。斯かる変位力は、ハーフミラー１１に対してハーフミラー固定台１２の傾斜固定面１２Ａ方向へ押圧する力として作用することになる。
【００３６】
また、ハーフミラー１１を矢印Ｂ方向へ押圧するとハーフミラー固定台１２に形成されている側面規制部１２Ｄに設けられている傾斜面１２ＤＤにハーフミラー１１のコーナーＣ２が押圧当接された状態になる。図３は斯かる状態を示すものであり、斯かる図面より明らかなようにハーフミラー１１は、前記傾斜面１２ＤＤによって矢印Ｃ方向への変位力を受けることになる。斯かる変位力は、ハーフミラー１１に対してハーフミラー固定台１２の傾斜固定面１２Ａ方向へ押圧する力として作用することになる。
【００３７】
前述したようにハーフミラー１１をハーフミラー固定台１２に形成されている傾斜固定面１２Ａに載置させた後、該ハーフミラー１１を矢印Ａ方向及び矢印Ｂ方向へ押圧すると該ハーフミラー１１が第１下端規制部１２Ｂ、第２下端規制部１２Ｃ及び側面規制部１２Ｄによって矢印Ｃ方向、即ち傾斜固定面１２Ａ方向に押圧された状態になるので、該ハーフミラー１１を矢印Ｃ方向へ押圧するための治具を必要とせず、ハーフミラー１１のハーフミラー固定台１２への接着固定作業を容易に行うことが出来る。
【００３８】
また、前記ハーフミラー１１は前記第１下端規制部１２Ｂ、第２下端規制部１２Ｃ及び側面規制部１２によって傾斜固定面１２Ａ上の位置が規制されるだけでなく、該第１下端規制部１２Ｂ、第２下端規制部１２Ｃ及び側面規制部１２による押圧力が作用するので、接着箇所が一箇所で済むという利点がある。
【産業上の利用可能性】
【００３９】
本発明は、ＤＶＤ規格の光ディスクＤに記録されている信号の読み出し動作等を行う光ピックアップ装置に組み込まれているハーフミラーに対して実施することが出来るだけでなく、ＣＤ規格等の他の規格の光ディスクに使用される光ピックアップ装置に実施することも出来る。
【００４０】
また、本発明は、ハーフミラーの固定装置として説明したが、レーザー光を反射させる反射ミラーの固定装置としても使用することが出来る。
【符号の説明】
【００４１】
１１    ハーフミラー
１１Ａ  第１透過面
１１Ｂ  第２透過面
１２    ハーフミラー固定台
１２Ａ  傾斜固定面
１２Ｂ  第１下端規制部
１２Ｃ  第２下端規制部
１２Ｄ  側面規制部
【図１】
2012155775.tif 000003
【図２】
2012155775.tif 000004
【図３】
2012155775.tif 000005
【図４】
2012155775.tif 000006
【図５】
2012155775.tif 000007
【図６】
2012155775.tif 000008